【手続補正書】
【提出日】平成27年2月6日(2015.2.6)
【手続補正１】
【補正対象書類名】特許請求の範囲
【補正対象項目名】請求項２
【補正方法】変更
【補正の内容】
【請求項２】
前記巻芯固定手段は、前記環状本体の円周方向の少なくとも３箇所に形成した、前記中心駆動軸の回転方向に次第に深くなる底面傾斜溝と、前記環状本体に被せた巻芯の内周面に係合可能な、前記環状本体の中心軸線方向に平行に伸長した係合部又は前記環状本体の中心軸線に平行に並ぶ複数の係合部を有する、前記底面傾斜溝に個別に配置した複数の可動体と、前記複数の可動体を、夫々前記底面傾斜溝の浅い部分と深い部分の間を移動可能かつ脱落不能に相互間隔を維持して保持する、前記環状本体の外周に回転可能に嵌めた環状のリテーナと、前記環状本体の外周に巻芯を装着していないとき前記各可動体が、該各可動体の係合部に外接する円の直径が前記巻芯の内径より大きくなる待機位置に復帰するよう前記リテーナに回転力を付与するための、前記リテーナと環状本体との間に設けた、弾力的に伸縮可能な伸縮部材とからなる請求項１に記載のフリクション巻軸。
【手続補正２】
【補正対象書類名】明細書
【補正対象項目名】００１５
【補正方法】変更
【補正の内容】
【００１５】
巻芯固定手段９は、環状本体８の円周方向の少なくとも３箇所に形成した、中心駆動軸２の回転方向に次第に深くなる底面傾斜溝１１と、環状本体８に被せた巻芯Ｃの内周面に係合可能な、環状本体８の中心軸線方向に平行に伸長した係合部１２ａを有する、底面傾斜溝１１に個別に配置した複数の可動体１２と、この複数の可動体１２を、夫々底面傾斜溝８の浅い部分と深い部分の間を移動可能かつ脱落不能に相互間隔を維持して保持する、環状本体８の外周に回転可能に嵌めた環状のリテーナ１３と、環状本体８の外周に巻芯Ｃを装着していないとき各可動体１２が、該各可動体１２の係合部１２ａに外接する円の直径が巻芯Ｃの内径より大きくなる待機位置に復帰するようリテーナ１３に回転力を付与するための、リテーナ１３と環状本体８との間に設けた、弾力的に伸縮可能な伸縮部材１４とからなる。
【手続補正３】
【補正対象書類名】明細書
【補正対象項目名】００２３
【補正方法】変更
【補正の内容】
【００２３】
巻芯アダプター群位置決め手段７は、この実施例では巻取カラー群４上において巻芯アダプター群６を挟むよう巻取カラー群４上の所定位置に配置した左右の位置決め環２５、２６からなる。左右の位置決め環２５及び２６は夫々巻取カラー群４に着脱自在であり、左側の位置決め環２５は、中心駆動軸２の左側の端部付近の外周面２ａに嵌めてあり、その左側の端部は中心駆動軸２の段付部２ｂの肩に当接している。そのため、位置決め環２５は、巻芯アダプター群６に右側の位置決め環２６から軸線方向に作用する押圧力に抗して巻芯アダプター群６の左側への移動を阻止することができる。左側の位置決め環２５と巻芯アダプター群６との間にはスペーサ２７が嵌めてある。右側の位置決め環２６は、巻取カラー群４の外周に装着してあり、その左側の端部には、巻芯アダプター５と同様のころがり軸受２８が装着してある。また、巻取中、スペーサ２９を介して、環状の押圧部材３０から押圧力を受け、巻芯アダプター群６を押圧した状態を維持することができる。押圧部材３０は可動腕３１の先端部に装着してある。また可動腕３１は、流体圧シリンダ装置３２により中心駆動軸２の長手方向に適時押し引き可能に設けてある。流体圧シリンダ装置３２により可動腕３２を所定の力で押すと、スペーサ２７を介して位置決め環２６が巻芯アダプター群６に押付けられる。それによって、位置決め環２５と位置決め環２６は巻芯アダプター群を所定の位置に位置決めすると共に、所定の押圧力を巻芯アダプター群６に付与することができる。なお巻取条件等によってはスペーサ２７やスペーサ２９が不要の場合もあり得る。
【手続補正４】
【補正対象書類名】明細書
【補正対象項目名】００２５
【補正方法】変更
【補正の内容】
【００２５】
図１に示すフリクション巻軸１から巻取ロールＲを取出すには、中心駆動軸２を巻取ロールＲに対して巻取時と反対方向に回転させるか、又は巻取ロールＲを中心駆動軸２に対して巻取時と同じ方向に回転させることにより、巻芯アダプター５の環状本体８に対して巻取カラー３を、図３の矢印Ａ１が指す方向の反対方向に回転させて、球体１７を細溝１６の深い部分に移動させる。その後、中心駆動軸２を右端が自由端となる片持ち支持状態にして、中心駆動軸２の右端から巻取ロールＲを巻芯アダプター５と共に抜き取る。この実施例では、巻芯アダプター５を抜き取る前に、スペーサ２９、右側の位置決め環２６を抜き取る。また流体圧シリンダ装置３２により押圧部材３０を右方へ後退させておく。巻芯アダプター５を巻取カラー群４から抜き取るとき、環状本体８の内周面に係合する球体１７は細溝１６に直交する方向にも回転し得るので巻芯アダプター５を抜き取り易い。
【手続補正５】
【補正対象書類名】明細書
【補正対象項目名】００２６
【補正方法】変更
【補正の内容】
【００２６】
帯状シートＳを巻取るには、予め各帯状シートＳを巻取るための巻芯Ｃを夫々巻芯アダプター５に装着しておき、その巻芯アダプター５を、夫々中心駆動軸２の右端から巻取カラー群４の外周に所要位置まで差し込み、更に右側の位置決め環２６、スペーサ２９を差し込む。次に中心駆動軸２の右端をスピンドルで支持した状態にする。その後、流体圧シリンダ装置３２を作動させて可動腕３１を左方へ進出させ、巻取終了までその状態を維持する。それによって、巻芯アダプター群６は、図１に示すように巻取カラー群４上の長手方向の所定位置に拘束されると共に、その長手方向の押圧力を受ける。そして巻芯アダプター群６において隣り合う関係にある巻芯アダプター５の環状本体８同士は夫々ころがり軸受１０を挟んで接するので、各巻芯アダプター５は正確に位置決めされ、巻芯アダプター５上の巻芯Ｃも正確に位置決めされる。
【手続補正６】
【補正対象書類名】明細書
【補正対象項目名】００２７
【補正方法】変更
【補正の内容】
【００２７】
その後、各巻芯Ｃに帯状シートＳの先端を止着してモータＭを起動すると、中心駆動軸２は、図３において矢印Ａ１が指す方向に回転し、巻取カラー３には摩擦部材３４を介して中心駆動軸２の回転力が伝達される。一方、巻芯Ｃには帯状シートＳの張力に応じた回転抵抗が生じる。そのため、巻芯Ｃは巻芯アダプター５の環状本体８に対して図３の矢印Ａ１が指す方向の反対方向に回転しようとし、各可動体１２は底面傾斜溝１１の浅いほうへ移動しようとするので、可動体１２による巻芯Ｃの内周面の押圧力が増大し、巻芯アダプター５による巻芯Ｃの把持力は増大する。また巻取カラー３は、巻芯アダプター５の環状本体８に対して、中心駆動軸２と同方向に回転しようとするので、球体１７が細溝１６の浅い方へ移動すると共に、保持環１８が巻取カラー３に対して中心駆動軸２の回転方向と反対の方向に回転し、各球体１７は夫々の細溝１６の底面によって押上げられて等量ずつ同時に突出し、環状本体８の内周面を押圧する。それによって巻取カラー３の把持機構１５は巻芯アダプター５の環状本体８を巻取カラー３と同心に把持する。したがって、巻芯アダプター５上の巻芯Ｃの中心軸線と中心駆動軸２の中心軸線と同心になり、その巻芯Ｃは振れ回りすることなく回転する。
【手続補正７】
【補正対象書類名】明細書
【補正対象項目名】００２８
【補正方法】変更
【補正の内容】
【００２８】
帯状シートＳの巻取中に隣り合う巻取ロールＲの巻取半径に差が生じることにより両者の回転数に差が生じ、それによって、巻芯Ｃを装着した巻芯アダプター５の環状本体８相互間でスリップが生じたとしても、隣り合う関係にある巻芯アダプター５の環状本体８同士は夫々ころがり軸受１０を挟んで接するので、環状本体８相互間のスリップによる摩擦損失は比較的小さいものになる。それゆえ、摩擦部材３４と巻取カラー３との摩擦力によって中心駆動軸２から巻芯Ｃに伝達される回転力の、摩擦損失による低減は僅かなものになる。この実施例では、巻取カラー３は中心駆動軸２に対してころがり軸受３ａを介して環状本体８と一体になって回転するので、環状本体８と中心駆動軸２との間の摩擦損失も比較的小さいものになるので、回転力の摩擦損失による低減は一層僅かなものになる。